(57)【特許請求の範囲】
【請求項１】
ノブやレバーハンドルの操作軸を回動可能に支承する台座を扉の自由側端縁部内面に装着し、上記操作軸の内端に、作動部を形成した駆動板を一体的に装着すると共に、上記台座の内側に、断面がコ字形で上下方向に移動可能に案内されたスライダを駆動板の内側に重合するように配設し、更に、このスライダを上方または下方に付勢し、一方、このスライダの側板に切欠を形成し、上記駆動板の作動部をこの切欠にスライダの付勢方向とは逆方向から係合可能に臨ませ、他方、上記スライダの内面に作動片を切り起こし、この作動片の内端部をプッシュプル錠の錠箱に挿入させたことを特徴とするプッシュプル錠のラッチ制御機構。
【発明の詳細な説明】
【０００１】
【発明の属する技術分野】
この発明は、プッシュプル錠のラッチ制御機構（以下単にラッチ制御機構という）に係り、特に、所謂プッシュプルハンドルの代りに室内側に装着できる新規なラッチ制御機構に関する。
【０００２】
【従来の技術】
プッシュプルハンドルとは、例えば図１に示すように、扉１の外面（図１で左側の面）に装着された縦長の台座２に対し、扉の厚さ方向に移動可能に案内されたこれも縦長のハンドル３をいい、このプッシュプルハンドル３を例えば手前側（図１で矢印Ａ方向）に引くことにより、その動きを利用して錠箱４内のラッチを制御すると共に、ラッチ制御後その侭ハンドル３を手前に引続ければ、扉１を開けることができる。
【０００３】
かかるプッシュプルハンドル装置は、例えば特開平９−３０３００２号公報に記載されているから簡単に説明すると、図２のＡ、Ｂに示すように、プッシュプルハンドル３の上下端を扉の厚さ方向に伸縮できるＸ字形のリンク５を介して台座２に連結し、このリンク５の中心軸６をばね７により台座２に近接する方向に付勢する。
【０００４】
すると、このリンク機構は、プッシュプルハンドル３をばね７の付勢力に抗して図１のＡ方向に引けば、プッシュプルハンドル３は台座２と平行な位置関係を保って扉の厚さ方向に移動すると共に、上記リンク５を構成する例えば第１リンク８がすることになる。
【０００５】
そこで、この第１リンク８に作動片９を突設し、この作動片９を錠箱４の所定の部位に挿入すれば、上記プッシュプルハンドル３の操作により作動片９が図１で矢印Ｂ方向に傾動するので、この作動片９の動きを利用して錠箱の図示しないラッチの制御を行う。
【０００６】
なお、かかるプッシュプル錠に使用されるラッチ装置は、通常、反転ラッチと称されるもので、作動片９のわずかな動きで水平投影が菱形のラッチヘッドが回転可能となり、扉の開放に伴ってストライクとの係脱を行う。
【０００７】
上記した反転ラッチ装置は、例えば特許第２６４１０９８号に係る特許公報に記載されて従来周知であるから、更に詳細な説明は省略する。
【０００８】
上記した構成のプッシュプル錠は、通常、図１に示すように、室内側にもプッシュプルハンドル３が装着されており、室内側のプッシュプルハンドル３によって制御される作動片９により、室内側からも反転ラッチ装置を制御することができ、このとき室内側の作動片９は、図１で矢印方向に傾動する。
【０００９】
【発明が解決しようとする課題】
ところで、近年、デザイン上の問題やコストの点から、室内側のプッシュプルハンドル３を省略し、その代わりに通常のノブやレバーハンドルを装着したい、とする要望が出始めてきた。
【００１０】
ところが、従来のノブやレバーハンドルによるラッチ制御機構は、通常のラッチボルトを錠箱から出し入れするもので、プッシュプルハンドル装置におけるラッチ制御機構と比較して格段にそのストロークが大きい。
【００１１】
したがって、従来のラッチボルトを出し入れするラッチ制御機構をプッシュプルハンドル装置と併用することができない、という不都合がある。
【００１２】
そこで、この発明は、ストロークが小さい反転ラッチ装置にも適用可能であり、しかもノブやレバーハンドルによって操作できる新規なラッチ制御機構を提供し、以って上記した不都合を解消することを目的としている。
【００１３】
【課題を解決するための手段】
上記の目的を達成するため、この発明は、ノブやレバーハンドルの操作軸を回動可能に支承する台座を扉の自由側端縁部内面に装着し、上記操作軸の内端に、作動部を形成した駆動板を一体的に装着すると共に、上記台座の内側に、断面がコ字形で上下方向に移動可能に案内されたスライダを駆動板の内側に重合するように配設し、更に、このスライダを上方または下方に付勢し、一方、このスライダの側板に切欠を形成し、上記駆動板の作動部をこの切欠にスライダの付勢方向とは逆方向から係合可能に臨ませ、他方、上記スライダの内面に作動片を切り起こし、この作動片の内端部をプッシュプル錠の錠箱に挿入させたことを特徴とする。
【００１４】
【実施例】
以下、この発明の一実施例を図面を参照して説明する。
図３乃至図５において符号２０は台座を示し、この台座２０は、例えば一面が開いた楕円形の箱状体で、その開口を扉の内面に接合させるようにして、止めねじ１１、１１により扉面に呼びつけられるように固定されている。
【００１５】
なお、この台座２０は、図１に示す室内側（右側）のプッシュプルハンドルの代りに設けられるもので、その錠箱４の右側における扉１の内面に装着される。
【００１６】
この台座２０のほぼ中央には、ノブやレバーハンドル（図示の実施例ではレバーハンドル）の操作軸１２が回動可能に支承されている。
【００１７】
この操作軸１２の内端には、図３及び図５に示すように、異形断面部（図示の実施例では四隅を面取りした方形断面）１３が形成されており、この異形断面部１３に、全体の形状が略円形の駆動板１４（図７参照）が装着され、止め輪１５によって抜け止めが施されている。
【００１８】
ちなみに、図４及び図７に示すように、駆動板１４のほぼ中央部には上記異形断面部１３と嵌合する付番しない異形（方形）孔が開口しており、この異形孔を異形断面部１３に嵌め合せることにより、駆動板１４の操作軸１２周りの回り止めが施されている。
【００１９】
一方、台座２０の内側で駆動板１４の内側（図３で下側）には、断面がコ字形のスライダ１６が、その開口を外側にしてかつ駆動板とほぼ重合するような位置関係で配設され、上下方向に移動可能に案内されている。
【００２０】
図示の実施例では、スライダ１６のコ字の開口端円に突設されたガイド片１７、１７（図６参照）を台座２０に形成された図示しない縦長のガイド溝に摺動可能に係合させると共に、スライダ１６の底面に開口した長穴１８及び前記止めねじ１１（図５参照）と螺合するねじ杆１９の係合によって上下方向に移動可能に案内されている。
【００２１】
また、図４及び図５に示すように、スライダ１６と台座２０の内面との間には、全体の形状がほぼ矩形の支持板２１が配設されており、この支持板２１のほぼ中央に前記操作軸１２の内端部と嵌合するバーリング部１０（図５参照）が形成されている。
【００２２】
そして、支持板２１及びスライダの上端部を夫々外側に切り起こして形成した第１及び第２ばね止め片２２、２３（図５及び図６参照）の間に弾装された圧縮コイルばね２４の弾力により、スライダ１６は図４及び図５で上方に付勢されている。
【００２３】
他方、前記駆動板１４の所定の角度位置（図４において時計盤面に換算してほぼ２時の角度位置）に作動部２５（図７参照）が突設されている。
【００２４】
この作動部２５に対応して、スライダの一方の側板（図４で右方の側板）の上記作動部２５と重合する部分が切り欠かれて切欠部２６が形成されており、この切り欠き２６の下方の開口端縁２７（図４参照）に上記作動部２５が係合可能に臨んでいる。
【００２５】
また、図３及び図５に示すように、支持板２１に形成された前記バーリング部１０（図５参照）の外側に巻装された捩りコイルばね２８の弾力により、駆動板１４及びこれと一体のハンドルは、図４で反時計方向に付勢されている。
【００２６】
更にまた、図３乃至図６に示すように、スライダ１６のほぼ中央部が外側に切り起こされて作動片９が形成されており、この作動片９は、図１に示す室内側の作動片９（図１で手前側の作動片）の代りに、プッシュプル錠の錠箱４内に挿入されている。
【００２７】
上記のように構成されたこの発明の一実施例によるラッチ制御機構は、図４から明らかなように、室内側からハンドルを操作してこれを下方に押動すれば、駆動板１４が時計方向に回動し、その作動部２５がスライダの側方の切欠の開口端縁２７と係合してこれを下方に押動する。
【００２８】
その結果、スライダ１６に形成された作動片９が図１に示す手前側の作動片９の代りに図示しないラッチのストッパーを下方に押動するので、ラッチが反転してストライクとの係合が解け、扉を開放することができるようになる。
【００２９】
なお、スライダ１６に形成された作動片のストロークは、ハンドルの回動範囲を設定する図示しないストッパー及び構成部材の諸元を適切に設定することにより、任意の値に設定することができる。
【００３０】
また、錠箱４内の制御機構に対応して、スライダの作動片９を上方に移動させることによりラッチを反転可能に切換える機構に変更することができ、この場合、スライダ１６を下方に付勢すべきことは勿論である。
【００３１】
【発明の効果】
以上の説明から明らかなように、この発明は、上下方向に移動可能に案内されたスライダに作動片を形成し、この作動片を従来のプッシュプルハンドルの作動片と同様に錠箱に挿入すると共に、ハンドルやノブの操作軸に一体的に装着され、一種のカムである駆動板によりスライダを介して作動片を駆動するようにしたので、スライダの移動量を従来のプッシュプルハンドル装置の作動片のそれと一致させることができ、このようにしてプッシュプル錠にプッシュプルハンドル装置とノブやレバーハンドル装置を併用することを可能にする、という所期の効果を奏する。
【図面の簡単な説明】
【図１】従来のプッシュプル錠の要部断面図。
【図２】その作動原理を説明するための線図。
【図３】この発明の一実施例によるラッチ制御機構の一部断面平面図。
【図４】この発明の一実施例によるラッチ制御機構の裏面図。
【図５】この発明の一実施例によるラッチ制御機構の一部断面側面図。
【図６】スライダの平面図。
【図７】駆動板の正面図。
【符号の説明】
１  扉
４  錠箱
９  作動片
１２  操作軸
１４  駆動板
１６  スライダ
２４  圧縮コイルばね
２５  作動部
２６  切欠
２７  開口端縁
【図１】
0004366020.tif 000002
【図２】
0004366020.tif 000003
【図３】
0004366020.tif 000004
【図４】
0004366020.tif 000005
【図５】
0004366020.tif 000006
【図６】
0004366020.tif 000007
【図７】
0004366020.tif 000008